(57)【要約】【課題】建造物の出入り口部に設けられる防犯装置を、建造物の屋内に侵入させる以前の段階で不審者を退避させるように構成する。【解決手段】防犯装置３の制御部３ａに、窓部近傍の第一検知領域Ｓ１を検知する第一検知センサ４と、前記第一検知領域より屋外側の第二検知領域Ｓ２を検知する第二検知センサ５と、これら検知センサ４、５の検知作動に連繋して大音量と小音量で発音する警音装置７と、赤色灯の第一照明装置８と白色灯の第二照明装置９とを接続し、前記第二検知センサ５が第一検知センサ４の検知作動に先行して検知作動することに伴い警音装置７が小音量で発音するとともに第二照明装置９が点灯し、前記第二検知センサ５の検知作動に続いて第一検知センサ４が検知作動することに伴い、警音装置７が大音量で発音するとともに第一照明装置８が点灯するように構成する。【選択図】        図５
2004240471.tif 000002
【特許請求の範囲】
【請求項１】
建造物の出入り口部に設けられる防犯装置であって、該防犯装置を、出入り口部近傍を検知して検知作動する第一検知センサと、該第一検知センサの検知領域より屋外側の検知領域を検知して検知作動する少なくとも一つの第二検知センサと、これら検知センサの検知作動に連繋して作動する警報度の高い第一警報手段および警報度の低い第二警報手段とを設けて構成し、前記第二検知センサが第一検知センサの検知作動に先行して検知作動することに伴い第二警報手段が作動し、前記第二検知センサの検知作動に続いて第一検知センサが検知作動することに伴い第一警報手段が作動するように構成されている建造物における防犯装置。
【請求項２】
請求項１において、第一検知センサの検知作動後、第二検知センサの検知作動があった場合、第二警報手段が作動するように構成されている建造物における防犯装置。
【請求項３】
請求項１または２において、第一警報手段は、警報度の大きい照明作動をする第一照明装置で構成され、第二警報手段は、警報度の小さい照明作動をする第二照明装置で構成されている建造物における防犯装置。
【請求項４】
請求項１、２または３において、第一警報手段は、大音量の警報音を発音作動する第一警音装置で構成され、第二警報手段は、小音量の警報音を発音作動する第二警音装置で構成されている建造物における防犯装置。
【請求項５】
請求項２、３または４において、第一検知センサが先行して検知作動したときは、第二照明装置による照明作動をし、第一照明装置による照明作動はしないように構成されている建造物における防犯装置。
【請求項６】
請求項４または５において、第一検知センサが先行して検知作動したときは、何れの警音装置も発音作動しないように構成されている建造物における防犯装置。
【請求項７】
請求項３乃至６の何れかにおいて、昼夜用に切換える昼夜切換え手段を備え、昼間側に切換えられているときには両照明装置とも照明作動しないように構成されている建造物における防犯装置。
【請求項８】
請求項７において、昼夜切換え手段は、照度センサ、タイマ装置で構成されている建造物における防犯装置。
【請求項９】
請求項２乃至８の何れかにおいて、第一検知センサが検知作動した後、第二検知センサが検知作動し、しかる後、第二検知センサの検知がなくなった場合、予め設定される時間のあいだ検知作動による警報作動を行わないように構成されている建造物における防犯装置。
【請求項１０】
請求項１乃至９の何れかにおいて、出入り口部に電動式の建築用開閉装置が設けられたものとし、該開閉装置は、第二検知センサが先行して検知作動することに連動して自動的な閉作動をするように構成され、あるいは第二検知センサの検知作動に続いて第一検知センサが検知作動することに連動して自動的な閉作動をするように構成されている建造物における防犯装置。
【請求項１１】
請求項１乃至１０の何れかにおいて、警報手段として、第一、第二警報手段とは別位置に配せられた第三警報手段を備え、該第三警報手段は、第二検知センサが先行して検知作動することに連動して作動をするように構成され、あるいは第二検知センサの検知作動に続いて第一検知センサが検知作動することに連動して作動をするように構成されている建造物における防犯装置。
【請求項１２】
請求項１乃至１１の何れかにおいて、第一、第二検知センサとは別位置に配せられた第三の検知センサを備え、該第三検知センサが検知作動した場合、第四警報手段を作動させると供に、第一から第三警報手段のうち少なくとも第二の警報手段を作動させるように構成した建造物における防犯装置。
【請求項１３】
請求項１乃至１２の何れかにおいて、警報手段の警報は、検知センサによる検知作動がなくなった以降、予め設定される時間のあいだ作動するように構成されている建造物における防犯装置。
【請求項１４】
建造物の出入り口部に設けられる防犯装置であって、該防犯装置を、出入り口部近傍を検知して検知作動する第一検知センサと、該第一検知センサの検知領域より屋外側の検知領域を検知して検知作動する少なくとも一つの第二検知センサと、これら検知センサの検知作動に連繋して作動する警報度の高い第一照明装置および警報度の低い第二照明装置とを設けて構成し、前記第二検知センサが第一検知センサの検知作動に先行して検知作動することに伴い第二照明装置が作動し、前記第二検知センサの検知作動に続いて第一検知センサが検知作動することに伴い第一照明装置が作動するように構成する一方、前記第二検知センサの検知がない状態で第一検知センサが検知作動したときには第二照明装置が作動し、さらに第二検知センサの検知作動があった場合、もしくは該第二検知センサの検知作動があってから両検知センサの検知がなくなった場合、第一照明装置を作動させるように構成した建造物における防犯装置。
【請求項１５】
請求項１４において、さらに第三の照明装置を備え、第二検知センサの検知作動があった場合、もしくは該第二検知センサの検知作動があってから両検知センサの検知がなくなった場合、第三の照明装置を作動させるように構成した建造物における防犯装置。
【発明の詳細な説明】
【０００１】
【発明の属する技術分野】
本発明は、建造物の窓、玄関口等の出入り口部に設けられる建造物における防犯装置の技術分野に属するものである。
【０００２】
【従来の技術】
一般に、この種防犯装置としては、玄関等の錠（鍵）を不正に解錠されないものにすること、扉体やガラス窓等に防犯シートを施行すること等、建造物の屋内に侵入行為を図られたときに効果を発生するものについて市場に多く提供されている。これに対し、建造物の屋内に侵入する以前の段階においての防犯対策については、有効な機能を備えた防犯装置、特に、昼夜を問わず防犯対策を図れるような防犯装置が未だ提唱されていないのが実情である。
このような防犯対策の一環として、例えば、閉扉時に自動的にロックされ、扉体の屋内側を検知する検知センサの検知、あるいは暗証番号の入力や解錠作動を行うことに基づいて開扉するように構成された所謂オートロック式の自動開閉扉（自動開閉ドア）に、扉体近傍を検知する前記検知センサに加えて、前記検知センサによる検知領域よりも屋外側を検知する第二の検知センサを設け、該第二検知センサが検知作動した後に、扉体近傍を検知する検知センサの検知作動があった場合では、扉体が開放作動をしないように構成して、不審者の建造物内への侵入を回避しながら、所定の使用者の利便性についても確保できるように構成したものが知られている（例えば、特許文献１参照。）。
【０００３】
【特許文献１】
特開２０００−８６６８号公報
【０００４】
【発明が解決しようとする課題】
ところで、前記従来のものは、不審者に対して単に扉体を開放しないだけの構成であり、不審者に対して脅威を抱かせたり積極的に威嚇したりして、不審者に威圧感を与えるようなものではなく、不審者を予め近付けないようにして防犯するものではない。また、このようなシステムは、自動開閉扉が取付けられていない一般的な住宅に採用することは難しく、今日、広く一般住宅にも採用することができ、しかも、不審者が侵入する以前の段階で不審者を追放できるような防犯装置が強く望まれ、ここに本発明が解決しようとする課題があった。
【０００５】
【課題を解決するための手段】
本発明は、上記の如き実情に鑑み、これらの課題を解決することを目的として創作されたものであって、建造物の出入り口部に設けられる防犯装置であって、該防犯装置を、出入り口部近傍を検知して検知作動する第一検知センサと、該第一検知センサの検知領域より屋外側の検知領域を検知して検知作動する少なくとも一つの第二検知センサと、これら検知センサの検知作動に連繋して作動する警報度の高い第一警報手段および警報度の低い第二警報手段とを設けて構成し、前記第二検知センサが第一検知センサの検知作動に先行して検知作動することに伴い第二警報手段が作動し、前記第二検知センサの検知作動に続いて第一検知センサが検知作動することに伴い第一警報手段が作動するように構成されているものである。
そして、このようにすることにより、屋外側から出入り口部に近付くに従って、警報度の高い警報が作動して、出入り口部から侵入しようとする不審者の行動を未然に防止することができる。
このものにおいて、本発明の第一検知センサの検知作動後、第二検知センサの検知作動があった場合、第二警報手段が作動するように構成されているものとすることができ、このようにすることにより、屋内側の人が出入り口部に近付いたときには警報度の小さい警報（例えば照度の低い照明装置の点灯）がなされて、居住者の利便性を向上させることができる。
さらに、このものにおいて、本発明の第一警報手段は、警報度の大きい照明作動をする第一照明装置で構成され、第二警報手段は、警報度の小さい照明作動をする第二照明装置で構成されているものとすることができる。
また、このものにおいて、本発明の第一警報手段は、大音量の警報音を発音作動する第一警音装置で構成され、第二警報手段は、小音量の警報音を発音作動する第二警音装置で構成されているものとすることができる。
さらにまた、このものにおいて、本発明の第一検知センサが先行して検知作動したときは、第二照明装置による照明作動をし、第一照明装置による照明作動はしないように構成されているものとすることができ、このようにすることにより、居住者が出入り口に近付いた場合では照明として第二照明装置を利用することができる。
また、このものにおいて、本発明の第一検知センサが先行して検知作動したときは、何れの警音装置も発音作動しないように構成されているものとすることができ、このようにすることにより、居住者に不快感を与えることのない防犯装置とすることができる。
さらに、このものにおいて、本発明の昼夜用に切換える昼夜切換え手段を備え、昼間側に切換えられているときには両照明装置とも照明作動しないように構成されているものとすることができ、昼夜に適した警報作動をすることができて、防犯性を高めることができる。
さらにまた、このものにおいて、本発明昼夜切換え手段は、照度センサ、タイマ装置で構成されているものとすることができ、このようにすることにより、昼夜の切換えを自動的に行うことができる。
さらに、このものにおいて、本発明の第一検知センサが検知作動した後、第二検知センサが検知作動し、しかる後、第二検知センサの検知がなくなった場合、予め設定される時間のあいだ検知作動による警報作動を行わないように構成されているものとすることができ、このようにすることにより、出入り口部から居住者が出て行ったような場合に、前記出入り口部から出て行った人による検知作動に基づく警報作動をしないようできる。
また、このものにおいて、本発明の出入り口部に電動式の建築用開閉装置が設けられたものとし、該開閉装置は、第二検知センサが先行して検知作動することに連動して自動的な閉作動をするように構成され、あるいは第二検知センサの検知作動に続いて第一検知センサが検知作動することに連動して自動的な閉作動をするように構成されているものとすることができ、このようにすることにより、不審者に対してさらに警報度の高い威嚇をすることができて防犯性を高めることができる。
さらにまた、このものにおいて、本発明の警報手段として、第一、第二警報手段とは別位置に配せられた第三警報手段を備え、該第三警報手段は、第二検知センサが先行して検知作動することに連動して作動をするように構成され、あるいは第二検知センサの検知作動に続いて第一検知センサが検知作動することに連動して作動をするように構成されているものとすることができ、このようにすることにより、不審者に対してさらに警報度の高い威嚇をすることができて防犯性を高めることができる。
さらに、このものにおいて、本発明の第一、第二検知センサとは別位置に配せられた第三の検知センサを備え、該第三検知センサが検知作動した場合、第四警報手段を作動させると供に、第一から第三警報手段のうち少なくとも第二の警報手段を作動させるように構成したものとすることができ、このようにすることにより、不審者に対してさらに警報度の高い威嚇をすることができて防犯性を高めることができる。
また、このものにおいて、本発明の警報手段の警報は、検知センサによる検知作動がなくなった以降、予め設定される時間のあいだ作動するように構成されているものとすることができ、使い勝手の良い防犯装置とすることができる。
また、本発明は、建造物の出入り口部に設けられる防犯装置であって、該防犯装置を、出入り口部近傍を検知して検知作動する第一検知センサと、該第一検知センサの検知領域より屋外側の検知領域を検知して検知作動する少なくとも一つの第二検知センサと、これら検知センサの検知作動に連繋して作動する警報度の高い第一照明装置および警報度の低い第二照明装置とを設けて構成し、前記第二検知センサが第一検知センサの検知作動に先行して検知作動することに伴い第二照明装置が作動し、前記第二検知センサの検知作動に続いて第一検知センサが検知作動することに伴い第一照明装置が作動するように構成する一方、前記第二検知センサの検知がない状態で第一検知センサが検知作動したときには第二照明装置が作動し、さらに第二検知センサの検知作動があった場合、もしくは該第二検知センサの検知作動があってから両検知センサの検知がなくなった場合、第一照明装置を作動させるように構成したものである。
そして、このようにすることによって、屋内側からの人の出入りについては、第二照明装置に続いて第一照明装置が点灯することになって、居住者に利便性の良いものにできる。
このものにおいて、本発明の防犯装置は、さらに第三の照明装置を備え、第二検知センサの検知作動があった場合、もしくは該第二検知センサの検知作動があってから両検知センサの検知がなくなった場合、第三の照明装置を作動させるように構成したものとすることができる。
【０００６】
【発明の実施の形態】
次に、本発明の実施の形態を図１〜図５の図面に基づいて説明する。
図面において、１は住宅の窓部（本発明の建造物の出入り口部に相当する）に設けられた窓シャッターのシャッターケースであって、該シャッターケース１には、窓部を構成する窓サッシ２の屋外側を開閉自在に覆蓋するためのシャッターカーテン（図示せず）が収納されている。さらに、シャッターケース１の前側板には、本発明が実施された防犯装置３が設けられており、窓部における不審者の侵入をチェックするように構成されている。
【０００７】
前記防犯装置３には、窓部の屋内外部位を含む窓部近傍部位である第一検知領域Ｓ１における障害物（人等）を検知するための第一検知センサ４と、該第一検知センサ４による第一検知領域Ｓ１の屋外側の検知領域である第二検知領域Ｓ２における障害物を検知するための第二検知センサ５とが設けられ、これら検知センサ４、５は、防犯装置３に内装される制御部３ａ（本実施の形態においてはロジック回路により構成されている）に接続されており、各検知センサ４、５の検知作動に伴い、第一、第二検知信号が制御部３ａに入力されるように設定されている。さらに、前記制御部３ａには、防犯装置３の設置箇所近傍の照度を検知して昼夜を判別して昼用、夜用の各制御状態に切換えるための昼夜検知センサ（本発明の昼夜切換え手段に相当する）６が接続されており、昼夜検知センサ６により、制御部３ａを昼用作動制御、夜用作動制御の各制御モードに切換えるように設定されいる。
ここで、第一、第二検知センサ４、５は、それぞれ赤外線、遠、近赤外線、音波等を用いたセンサにより構成されている。また、昼夜の切換え手段としては、手動により切換える切換えスイッチやタイマ装置により構成することができ、これらの切換えに基づいて昼夜の各制御状態（各制御モード）を切換えることも可能であるが、本実施の形態のように、昼夜検知センサを用い、周囲の照度に基づいて昼夜を判断することにより、各制御状態を自動的に切換える構成とすることもできる。この場合、昼夜切換えセンサとしては、硫化カドミウムセル（ＣｄＳ）を用いた照度センサ等を用いることができる。
【０００８】
さらに、防犯装置３には、本発明の警報手段として音量調整自在な警音装置７が設けられ、該警音装置７が制御部３ａに配線接続され、制御部３ａからの指令に基づいて発音制御されるように設定されている。尚、警音装置７としては、ブザー音、ベル音、電子音、音声等、各種の音を用いることが可能であり、音量を大きくすることで警報度の大きい本発明の第一警音装置として機能し、音量を小さくすることで警報度の小さい本発明の第二警音装置として機能するように設定されている。
また、防犯装置３の前側面には、警報度が大きくなるよう赤色灯あるいは高照度の電灯で構成され、窓部屋外側部位を照明する警報手段としての第一照明装置８が設けられているとともに、防犯装置３の下側面には、警報度が小さくなるよう一般的な白色灯で構成され、窓部屋内外の足元部位を照明する警報手段としての第二照明装置９が設けられ、これら第一、第二照明装置８、９が制御部３ａに配線接続され、制御部３ａからの指令に基づいて点灯制御されるように設定されている。因みに、第一、第二照明装置８、９としては、照度調整自在な照明装置を一つ設け、高い照度で点灯することにより第一照明装置とし、低い照度で点灯することにより第二照明装置とすることも可能であり、このようにすることで、一つの照明装置を設けるだけでよいことになって、部材装置の削減が図れる。
【０００９】
そして、防犯装置制御部３ａは、前述したように、昼夜検知センサ６、そして、第一、第二検知センサ４、５からの検知信号の入力に伴い、警音装置７の発音、そして、第一、第二照明装置８、９の点灯をそれぞれ適宜制御するように設定されており、該制御部３ａにおける詳細な制御手順について、図２〜５に示すフローチャート図に基づいて説明する。
【００１０】
前記防犯装置制御部３ａは、電源投入することに伴い初期設定がなされ、続いて、昼夜検知センサ６により防犯装置３の周囲の照度を検知して昼夜の何れであるかを判断する。そして、制御部３ａは、昼夜検知センサ６により現在の照度が昼間の照度であると判断された場合では昼用作動制御のモードに、夜間の照度であると判断された場合では夜用作動制御のモードにそれぞれ切換えられるように設定されている。尚、このものにおいて、昼用作動制御、夜用作動制御の各モードとは、昼用の場合は警音装置７のみの作動制御を実施し、夜用の場合は警音装置７の作動に加えて第一、第二照明装置８、９の作動制御を実施するように構成されている。
【００１１】
そして、昼用作動制御モードに切換えられた状態において、制御部３ａは、第一、第二検知センサ４、５の何れかからの検知信号の入力を待機する状態となっており、制御部３ａに入力された最初の信号が第一検知センサ４からの第一検知信号であった場合について説明する。
第一検知信号が入力された場合、制御部３ａは、窓部近傍の第一検知領域Ｓ１に障害物がある（人がいる）、即ち、屋内にいる人（居住者またはその関係者）が窓部に近付いたと判断し、この状態では、警音装置（第一、第二警音装置）７、第一、第二照明装置８、９の何れの装置についても不作動とする（作動規制する）ように設定されている。そして、前記第一検知信号の入力がなくなり、これに続いて、第二検知信号の入力がなされた場合では、制御部３ａは、窓部屋外側の第二検知領域Ｓ２に障害物がある（人がいる）、即ち、屋内にいる人が窓部から屋外側に出たと判断し、この状態では、屋内の人が外へ出たのであって不審者の出入りではないとして、警音装置（第一、第二警音装置）７、第一、第二照明装置８、９の何れの装置についても不作動とする（作動規制する）ように設定されている。
一方、第一検知信号の入力がなくなり、これに続いて第二検知信号の入力がない場合では、人が窓部に近付いたが、窓部から屋内側に立ち去ったと判断し、各装置７、８、９の作動規制状態を解除して通常の作動待機状態として、初期設定状態にリターンするように設定されている。
【００１２】
また、屋内の人が外に出たと判断した状態、即ち、第一検知信号に続いて第二検知信号の入力があった場合では、制御部３ａは、第二検知信号の入力に続いて再び第一検知信号の入力がなされたか否かを判断し、第一検知信号の入力があった場合では、窓から出た人が屋内側に戻ったと判断し、前述したように、各装置７、８、９の作動規制を継続し、そして、前記第一検知信号の入力がなくなり、かつ、第二検知信号の入力がなされないこと、即ち、第一、第二検知領域Ｓ１、Ｓ２の何れにも人を検知することができず、窓から出て屋内に戻った人が窓部から屋内側に立ち去ったことを確認したことに基づいて、各装置７、８、９の作動規制状態を解除し、通常の作動待機状態として、初期状態にリターンするように設定されている。
これに対し、第二検知信号の入力に続いて第一検知信号の入力がない場合では、窓部から出た人が出て行ったまま戻って来ないと判断し、予め設定されるタイマ時間（Ｔ１時間であって、本実施の形態ではおよそ２分）の経過後に、各装置７、８、９の作動規制状態を解除して通常の作動待機状態として、初期設定状態にリターンするように設定されており、前記Ｔ１時間のあいだは、各検知信号の入力があったとして、各装置７、８、９の作動（発音、点灯）はないように設定されている。
【００１３】
一方、昼用作動制御モードにおいて、最初に制御部３ａに入力された信号が第二検知センサ５からの第二検知信号であった場合では、制御部３ａは、窓部屋外側の第二検知領域Ｓ２に障害物がある（人がいる）、即ち、窓部屋外側に人が近付いたと判断し、この状態では、警音装置７を音量が小さい状態で（第二警音装置として）発音させ、警報度の低い警報を発して、窓部に近づいた人に対しては軽度の威嚇をするとともに、居住者に対して軽度の注意喚起をするように設定されている。そして、前記第二検知信号の入力がなくなり、続いて、第一検知信号の入力がなされた場合では、制御部３ａは、窓部近傍の第一検知領域Ｓ１に障害物がある（人がいる）、即ち、窓部の屋外側にいた人が窓部近傍にまで近付いてきたと判断し、この状態では、警音装置７を音量が大きい状態で（第一警音装置として）発音させ、警報度の高い警報を発して、窓部に近付いた人（不審者）に対しては重度の威嚇をするとともに、居住者に対して重度の注意喚起をするように設定されている。
一方、第二検知信号の入力がなくなり、これに続いて第一検知信号の入力もない場合では、不審者が窓部に近付こうとしたがそのまま立ち去ったと判断し、不審者が第二検知領域Ｓ２にいるあいだ小音量で発音する警音装置７を消音するとともに、初期設定状態にリターンするように設定されている。
【００１４】
また、不審者が屋外から窓部近傍に近付いて第一検知信号の入力があった状態において、第一検知信号の入力がなくなることに続いて第二検知信号の入力もない場合では、屋外側から近付いてきた不審者が窓部から屋内に侵入したと判断し、この場合では、制御部３ａは、予め設定されるタイマ時間（Ｔ２時間であって、本実施の形態ではおよそ３０秒）のあいだ、警音装置７を大音量の状態で（第一警音装置として）発音させ、不審者に対して重度の威嚇を与え続けるとともに、居住者に対して重度の注意喚起を与え続けた（Ｔ２時間経過）後に、初期設定状態にリターンするように設定されている。
これに対し、第一検知信号の入力がなくなることに続いて第二検知信号の入力があった、即ち第二検知領域Ｓ２において障害物が検知された場合では、窓部から屋内に侵入しようとした不審者が立ち去ろうとしていると判断し、この状態となると、第二検知信号の入力がなくなり第一検知信号の入力がない状態までのあいだ、即ち、不審者が第二検知領域Ｓ２から屋外側に立ち去るまでのあいだ、警音装置７を小音量で発音させ、そして、初期状態にリターンするように設定されている。
【００１５】
つぎに、昼夜検知センサ６が夜間であると判断した場合について説明する。
照度が低下する夜間になると、昼夜検知センサ６により制御部３ａが夜用作動制御のモードに切換えられ、該夜用作動制御のモードにおいて、制御部３ａは、第一、第二検知センサ４、５の何れかからの検知信号の入力を待機する状態となっており、制御部３ａに最初に入力された信号が第一検知センサ４からの第一検知信号であった場合、制御部３ａは、窓部近傍の第一検知領域Ｓ１に障害物がある（人がいる）、即ち、屋内にいる人（居住者またはその関係者）が窓部に近付いたと判断し、この状態では、警音装置７を発音させることなく、警報度の低い第二照明装置９のみを点灯し、居住者等のための照明として機能するように設定されている。そして、前記第一検知信号の入力がなくなり、続いて、第二検知信号の入力がなされた場合では、制御部３ａは、窓部屋外側の第二検知領域Ｓ２に障害物がある（人がいる）、即ち、屋内にいる人が窓部から屋外側に出たと判断し、この状態では、屋内の人が外へ出たのであって不審者の出入りではないとして、警音装置（第一、第二警音装置）７を発音させることはなく、第二照明装置９についてはそのまま点灯状態を維持するとともに、第一照明装置８を点灯させて、照明がさらに明るくなるように設定されている。
一方、第一検知信号の入力がなくなり、これに続いて第二検知信号の入力がない場合では、人が窓部に近付いたが屋内側に立ち去ったと判断し、点灯している第二照明装置９を、予め設定される所定時間（Ｔ３時間であって、本実施の形態ではおよそ１０秒）のあいだ点灯させ続け、そして、初期設定状態にリターンするように設定されている。
【００１６】
また、屋内の人が外に出たと判断した状態、即ち、第一検知信号に続いて第二検知信号の入力があった場合では、制御部３ａは、第二検知信号の入力に続いて再び第一検知信号の入力がなされたか否かを判断し、第一検知信号の入力があった場合では、窓から出た人が屋内側に戻って来たと判断し、点灯している第二照明装置９の点灯を維持し、かつ、点灯している第一照明装置８を予め設定される所定時間（Ｔ３時間であって、本実施の形態ではおよそ１０秒）のあいだ点灯させた後、消灯させるように設定されている。そして、この状態において、前記第一検知信号の入力がなくなり、かつ、第二検知信号の入力がなされないこと、即ち、第一、第二検知領域Ｓ１、Ｓ２の何れにも人を検知することができず、窓から出て屋内に戻ってきた人が窓部から屋内側に立ち去ったことを確認した場合では、第二照明装置９を予め設定される所定時間（Ｔ３時間であって、本実施の形態ではおよそ１０秒）のあいだ点灯させた後に消灯させ、初期状態にリターンするように設定されている。
これに対し、第二検知信号の入力に続いて第一検知信号の入力がない場合では、窓部から出た人が出て行ったまま戻って来ないと判断し、第一、第二照明装置８、９を両者共に予め設定される所定時間（Ｔ３時間であって、本実施の形態ではおよそ１０秒）のあいだ点灯させた後、それぞれを消灯させるが、この場合では、予め設定されるタイマ時間（Ｔ１時間であって、本実施の形態ではおよそ２分）のあいだについては、各検知信号の入力があったことに伴い、警音装置７と第一照明装置８とは作動規制をされ、第二照明装置９のみを予め設定された時間（例えば５秒間）点灯させるように制御し、前記Ｔ１時間経過後に、初期設定状態にリターンするように設定されている。
【００１７】
一方、夜用作動制御モードにおいて、最初に制御部３ａに入力された信号が第二検知センサ５からの第二検知信号であった場合では、制御部３ａは、窓部屋外側の第二検知領域Ｓ２に障害物がある（人がいる）、即ち、窓部屋外側に人が近付いたと判断し、この状態では、警音装置７を音量が小さい状態で（第二警音装置として）発音させるとともに第二照明装置９を点灯して、警報度の低い警報を発し、屋外側にいる人に対して軽度の威嚇をするとともに、居住者に対して軽度の注意喚起をするように設定されている。そして、前記第二検知信号の入力がなくなり、続いて、第一検知信号の入力がなされた場合では、制御部３ａは、窓部近傍の第一検知領域Ｓ１に障害物がある（人がいる）、即ち、窓部の屋外側にいた人が窓部近傍にまで近付いてきたと判断し、この状態では、警音装置７を音量が大きい状態で（第一警音装置として）発音させるとともに、点灯している第二照明装置９の点灯を維持し、かつ、第一照明装置８を点灯することにより警報度の高い警報を発し、不審者に対して重度の威嚇をするとともに、居住者に対して重度の注意喚起をするように設定されている。
一方、第二検知信号の入力がなくなり、これに続いて第一検知信号の入力もない場合では、不審者が窓部に近付こうとしたがそのまま立ち去ったと判断し、不審者が第二検知領域Ｓ２にいるあいだ小音量で発音している警音装置７を消音するとともに、点灯している第二照明装置９を消灯し、初期設定状態にリターンするように設定されている。
【００１８】
また、不審者が屋外から窓部近傍に近付いて第一検知信号の入力があった状態において、第一検知信号の入力がなくなることに続いて第二検知信号の入力もない場合では、屋外側から近付いてきた不審者が窓部から屋内に侵入したと判断し、この場合では、制御部３ａは、予め設定されるタイマ時間（Ｔ２時間であって、本実施の形態ではおよそ３０秒）のあいだ、警音装置７を大音量の状態で（第一警音装置として）発音させるとともに、点灯している第一、第二照明装置８、９を、予め設定される所定時間（Ｔ２時間であって、本実施の形態ではおよそ３０秒）のあいだ点灯させ、不審者に対して重度の威嚇を与え続けるとともに、居住者に対して重度の注意喚起を与え続け、その後、初期設定状態にリターンするように設定されている。
これに対し、第一検知信号の入力がなくなることに続いて第二検知信号の入力があった、即ち第二検知領域Ｓ２において障害物が検知された場合では、窓部から屋内に侵入しようとした不審者が立ち去ろうとしていると判断し、この状態となると、第二検知信号の入力がなくなり第一検知信号の入力がなくなるまでのあいだ、即ち、不審者が第二検知領域Ｓ２から屋外側に出るまでのあいだ、警音装置７と第二照明装置９とをそれぞれ発音、点灯し続けるとともに、点灯している第一照明装置８を予め設定される所定時間（Ｔ３時間であって、本実施の形態ではおよそ１０秒）のあいだ点灯させた後消灯せしめ、初期状態にリターンするように設定されている。
【００１９】
このように、本発明が実施された防犯装置３は、昼夜検知センサ６が昼、夜何れかを判断し、屋内側からの人の出入りについてこれを不審者とは見做さず、昼の場合では警音装置７を発音させることなく、また夜の場合では第二照明装置９を点灯し、これによって、居住者に不快感を与えず、かつ、居住者の利便性が向上するように設定されている。一方、屋外側から窓部に近付いた場合では、昼の場合では警音装置７の小音量の発音を行い、夜の場合では警音装置７の小音量での発音とともに第二照明装置９を点灯し、これによって、不審者に軽度の威嚇および居住者への注意喚起を行い、さらに不審者が窓部に近付くことによって、昼の場合では警音装置７を大音量で発音し、夜の場合では警音装置７の大音量での発音とともに第一、第二照明装置８、９を点灯し、これによって、不審者に対し重度の威嚇をするとともに、居住者に重度の注意喚起をするように設定されており、しかして、不審者の侵入を未然に防止できる構成となっている。
【００２０】
叙述の如く構成された本発明の実施の形態において、窓部には防犯装置３が設けられており、窓部の屋内外部位を含む近傍部位である第一検知領域Ｓ１と、該第一検知領域Ｓ１よりも屋外側部位である第二検知領域Ｓ２との検知をそれぞれ第一、第二検知センサ４、５により検知する構成となっている。そして、不審者が屋外側から窓部近傍に近付くことを、第二検知センサ５による検知作動に続いて第一検知センサ４による検知作動がなされることで判断し、このような場合では、第二検知センサ５の検知作動に伴い第二警報手段である警報度の低い警報がなされ、第一検知センサ４の検知作動に伴い第一警報手段である警報度の高い警報がなされるように構成されている。この結果、不審者に対し、侵入の以前の段階で、段階的に警報度が変化した状態で警報による威嚇が与えられることになって、不審者に侵入を断念させることができ、もって、未然に侵入を防止できて防犯性の高い優れた防犯装置３とすることができる。
【００２１】
さらに、本発明が実施されたものにおいては、警報手段が照明装置である場合に、第一検知センサ４による窓部の屋内側を含む第一検知領域Ｓ１における検知作動が、第二検知領域Ｓ２を検知する第二検知センサ５の検知作動に先行した場合では、警報度の低い第二警報手段（第二照明装置９）のみを点灯作動させるようにしている。また、警報手段が警音装置７である場合に、第一検知センサ４による窓部の屋内側を含む第一検知領域Ｓ１における検知作動が、第二検知領域Ｓ２を検知する第二検知センサ５の検知作動に先行した場合では、警報装置７を作動させないようにしている。これによって、窓部に近付いた者が居住者であるか不審者であるかにより、警報手段の警報形態が変化することになって、居住者に対しては威嚇するような脅威を与えることがなく、使用勝手の良い防犯装置となっている。
【００２２】
しかも、このものでは、警報手段として、音を発する手段である警音装置７と、点灯して照明をする手段である第一、第二照明装置８、９との両者を併せて用いている。この結果、昼夜を問わず高い防犯性を備えることができるうえ、夜間においては、不審者に対して音と光との二重の威嚇を行うことができることになって、防犯性を高めることができる。
さらにこの場合に、居住者が窓部において何らかの動作をしたような場合であって、第一検知センサ４が第二検知センサ５の検知作動に先行して検知作動した場合では、警音装置７の発音と第一照明装置８の点灯はなされず、白色灯である第二照明装置９の点灯のみがなされることになるので、居住者に対して何ら脅威を与えるようなことはない。
【００２３】
また、本実施の形態のものでは、昼夜検知センサ６が設けられていて、外部から窓部に近付いてくる不審者に対し、昼（間）においては音による警報が発せられる一方で、夜間においては音に加えて白色灯、赤色灯による照明を行うようになっている。このため、不審者に対する威嚇を効果的に行うことができるうえ、居住者に対しては、夜（間）、窓部に近付くことにより第二照明装置９が点灯することから、第二照明装置９を通常の照明装置として利用できることになって、利便性の良い防犯装置３とすることができる。
しかも、昼夜の切換えは、手動による操作スイッチによるものではなく、昼夜検知センサ６により自動的になされるので、操作性の優れた防犯装置３とすることができる。
【００２４】
さらに、本実施の形態が実施されたものでは、居住者が窓部から外へ出て行ったような場合では、予め設定されるＴ１（２分）時間のあいだは各検知センサ４、５の検知作動があったとして、警音装置７が作動しないよう作動規制されることになるため、前記窓部から外へ出た人の作動によって防犯装置３が作動してしまうことがなくなって、警音装置７の作動により居住者に不快感を与えるようなことがない。
【００２５】
また、このものでは、各検知センサ４、５による検知作動に基づいて作動した各装置７、８、９が、必要な箇所において適宜所定時間のあいだは遅延する状態で非作動状態となるように構成されている。このため、警報機能を長く保持できるうえ、第二照明装置９の場合では遅れて消灯することによって、居住者の利便性を高めることができる。
【００２６】
また、本発明が実施されたものでは、先行して検知作動する第一検知センサ４に続いて第二検知センサ５が検知作動し、窓部から屋外側に出て居住者が第二検知領域Ｓ２にいるとき、または該第二検知領域Ｓ２よりも屋外側に出たようなときに、第二照明装置９とともに第一照明装置８が点灯しているため、窓部の屋外側にいる居住者にとってはより明るい照明を得られることになって、利便性がさらに向上する。
【００２７】
尚、本発明は前記実施の形態に限定されないことは勿論であって、防犯装置に本発明の第三警報手段に相当する種々の防犯機能を備えた機器を接続し、第一、第二検知センサの検知作動に連動させることも可能である。
このような例として、例えば、前記第一の実施の形態において、第三警報手段として窓部に配設される電動式の建築用開閉装置（シャッター装置）と、前記窓部とは別の窓部に設けられた第三照明装置とを備えたものを提唱することができる。
つぎに、電動式シャッター装置と第三照明装置（図示せず）とを防犯装置３に連動させた場合の制御手順について説明する。
このものにおいて、昼用作動制御のモードに切換えられている場合では、図４のフローチャート図の破線矢印▲１▼に示す箇所、即ち、外部の不審者が第二検知センサ５により検知されたとき（窓部に近付いたとき）、あるいは、不審者が第二検知センサ５に続いて第一検知センサ４により検知されたとき（窓部近傍まで近付いたときの何れか一方において、シャッター装置を閉鎖作動する、あるいは、第三照明装置を点灯させる、あるいは両者を一度に作動させるように構成することができる。この場合、第三照明装置は、警音装置７の消音と同時に消灯するように構成することができる。
また、夜用作動制御のモードに切換えられている場合では、前記昼用作動制御のときと同様に、図５のフローチャート図の破線矢印▲２▼に示す箇所、即ち、外部の不審者が第二検知センサ５により検知されたとき、あるいは、不審者が第二検知センサ５に続いて第一検知センサ４により検知されたときの何れか一方において、シャッター装置を閉鎖作動する、あるいは、第三照明装置を点灯させる、あるいは両者を一度に作動させるように構成することができ、この場合でも、第三照明装置は、警音装置７の消音と同時に消灯するように構成することができる。因みに、夜間の場合、シャッター装置は常識的には閉鎖されており、この場合では、シャッター装置の閉鎖作動はなされず、第三照明装置の点灯のみ行うように構成される。
このように、防犯装置が設けられた箇所とは別の箇所の警報手段を作動させた場合では、不審者にさらなる重度の威嚇と脅威を与えることができて、防犯効果のさらなる向上を図ることができる。
【００２８】
また、前記実施の形態の構成において、第二検知センサの検知がない状態で第一検知センサが検知作動したときに第二照明装置が作動し、さらに第一検知センサの検知作動に続いて第二検知センサの検知作動があった場合、あるいは、該第二検知センサの検知作動があってから両検知センサの検知がなくなった場合であって、居住者が窓部から屋外へ出たとき（第二検知領域内）、あるいは、窓部近傍の屋外からさらに屋外方向（第二検知領域外）に出た場合では、第二照明装置と共に、第一、第三照明装置の何れか、あるいは、両者の照明装置を点灯させるように構成することもできる。この場合、第三照明装置は、本発明の第三の照明装置に相当しており、このようにすることにより、窓部屋外にいる居住者に対して明るい照明を提供することができ、さらなる利便性の向上が図れる。
【００２９】
また、図６に示す第二の実施の形態のように構成することもできる。このものは、前記第一の実施の形態の防犯装置３において、例えば、前記窓部に通じる通路の障害物（人）を検知する第三検知センサ（図示せず）が接続されているとともに、該通路を照明するべく設けられる第四警報手段としての第四照明装置（図示せず）が接続される構成となっており、この場合の防犯装置制御部３ａにおける第三検知センサに基づく制御手順について、図６のフローチャート図に基づいて説明する。
前記制御部３ａは、電源投入と共に初期設定されると、昼夜検知センサ６により昼夜の判断がなされ、昼であると判断された場合では、第三検知センサの検知作動に基づく第三検知信号の入力があるか否かの判断をする。そして、第三検知信号の入力があったと判断すると、第三検知信号が入力されているあいだ、軽度の警報となるべく警音装置７を小音量で発音させるとともに第四照明装置を点灯させる。そして、制御部３ａは、第三検知信号の入力がなくなることに基づいて警音装置７の発音を停止する一方、予め設定される所定時間（Ｔ４時間であって、本実施の形態では例えば５秒）後に第四照明装置を消灯させるように設定されている。
【００３０】
これに対し、昼夜検知センサ６により夜であると判断された場合では、第三検知センサの検知作動に基づく第三検知信号の入力があるか否かの判断をし、第三検知信号の入力があったと判断すると、第三検知信号が入力されているあいだ、軽度の警報となるべく警音装置７を小音量で発音させるとともに第四照明装置を点灯させ、さらに、第二照明装置９を点灯する。そして、制御部３ａは、第三検知信号の入力がなくなることに基づいて警音装置７の発音を停止する一方、予め設定される所定時間（Ｔ４時間であって、本実施の形態では例えば５秒）後に第二照明装置９そして第四照明装置を消灯させるように設定されている。
この場合では、窓部に通じる通路の第四照明装置の点灯および窓部の警音装置７の発音により、窓部に近付こうとする不審者に対し軽度の威嚇を与えるとともに、居住者に注意喚起をすることができ、さらなる防犯性の向上が計れる。
【００３１】
また、前記第二の実施の形態において、制御部は、第二検知センサの検知がない状態で第一検知センサが検知作動したときに第二照明装置を点灯作動させることになるが、この状態からさらに、前記第一検知センサの検知作動に続いて第二検知センサの検知作動があった場合、あるいは、該第二検知センサの検知作動があってから両検知センサの検知がなくなった場合であって、居住者が窓部から屋外へ出たとき（第二検知領域内）、あるいは、窓部近傍の屋外からさらに屋外方向（第二検知領域外）に出た場合では、第一照明装置と第四照明装置との両者、あるいは、何れか一方の照明装置を点灯作動させる構成とすることもでき、この場合、第四照明装置は、本発明の第三の照明装置に相当しており、窓部屋外にいる居住者に対して明るい照明を提供することができ、さらなる利便性の向上を図ることができる。
尚、前記第三、第四警報手段としては、前述したように照明装置に限定されることはなく、警音装置等、別な警報手段を用いることも可能である。
【００３２】
さらに、窓部に設けられる検知センサとしては、窓部近傍の検知領域を検知する第一検知センサの他、次第に屋外側となる検知領域を検知する二つ以上の検知センサを設ける構成としてもよく、この場合に、検知センサに対応して警報度の高くなる警報手段を用意することも可能となり、このようにして、防犯効果を向上させることもできる。
【図面の簡単な説明】
【図１】図１（Ａ）、（Ｂ）はそれぞれ窓部に配設された部材装置を説明する側面図、平面図である。
【図２】防犯装置の制御部における制御状態を説明するブロック図である。
【図３】防犯装置の制御部における制御手順を説明するフローチャート図である。
【図４】防犯装置の制御部の昼用作動制御モードにおける制御手順を説明するフローチャート図である。
【図５】防犯装置の制御部の夜用作動制御モードにおける制御手順を説明するフローチャート図である。
【図６】第二の実施の形態の防犯装置において、制御部における第三検知センサに基づく制御手順を説明するフローチャート図である。
【符号の説明】
１    シャッターケース
２    窓サッシ
３    防犯装置
３ａ    制御部
４    第一検知センサ
５    第二検知センサ
６    昼夜検知センサ
７    警音装置
８    第一照明装置
９    第二照明装置
【図１】
2004240471.tif 000003
【図２】
2004240471.tif 000004
【図３】
2004240471.tif 000005
【図４】
2004240471.tif 000006
【図５】
2004240471.tif 000007
【図６】
2004240471.tif 000008